(57)【要約】【課題】本発明は、一枚の用紙が複数に区画されてなる各区画両面に各ページ番号を割り付けるページ割付方法等に関し、ページを容易に割り付ける。【解決手段】複数に区画された用紙を表示するとともにその用紙上に折り候補線を表示する表示ステップと、折り候補線の中から折り線を順次一本ずつ指定する折り線指定ステップとを有し、表示ステップが、折り線指定ステップで折り線が一本指定されるたびに次の折り候補線を表わした用紙を表示するステップであって、さらに、折り線指定ステップで折り線の指定を繰り返すことにより決定される折り丁に基づいて、各区画両面に各ページを割り付けるページ割付ステップを有する。【選択図】        図１１
2011017938.tif 000002
【特許請求の範囲】
【請求項１】
一枚の用紙が複数に区画されてなる各区画両面に各ページ番号を割り付けるページ割付方法であって、
複数に区画された用紙を表示するとともに該用紙上に折り候補線を表示する表示ステップと、
前記折り候補線の中から折り線を順次一本ずつ指定する折り線指定ステップとを有し、
前記表示ステップが、前記折り線指定ステップで折り線が一本指定されるたびに次の折り候補線を表わした用紙を表示するステップであって、さらに、
前記折り線指定ステップで折り線の指定を繰り返すことにより決定される折り丁に基づいて、前記各区画両面に各ページを割り付けるページ割付ステップを有することを特徴とするページ割付方法。
【請求項２】
一枚の用紙上に並ぶ縦横の各区画数を指定する区画数指定ステップを有し、
前記用紙表示ステップは、前記区画数指定ステップで指定された縦横の各区画数に合致した数の区画が配列された用紙を表示するステップであることを特徴とする請求項１記載のページ割付方法。
【請求項３】
天合わせ、地合わせの別を指定する合わせ指定ステップを有し、
前記ページ割付ステップは、さらに前記合わせ指定ステップでの天合わせ又は地合わせの指定にも基づいて、前記各区画両面に各ページを割り付けるステップであることを特徴とする請求項１又は２記載のページ割付方法。
【請求項４】
左綴じ、右綴じの別を指定する綴じ指定ステップを有し、
前記ページ割付ステップは、さらに前記綴じ指定ステップでの左綴じ又は右綴じの指定にも基づいて前記各区画両面に各ページを割り付けるステップであることを特徴とする請求項１から３のうちいずれか１項記載のページ割付方法。
【請求項５】
面付け形式を指定する面付け形式指定ステップを有し、
前記ページ割付ステップは、さらに前記面付け形式指定ステップで指定された面付け形式にも基づいて前記各区画両面に各ページを割り付けるステップであることを特徴とする請求項１から４のうちいずれか１項記載のページ割付方法。
【請求項６】
前記折り線指定ステップが折り線を一本指定するごとに、該一本の折り線の山折り、谷折りの別を指定するステップであることを特徴とする請求項１から５のうちいずれか１項記載のページ割付方法。
【請求項７】
画像を表示する表示部と、
前記表示部に表示された画像上の任意のポイントを指定するポインティングデバイスと、
前記表示部に、複数に区画された用紙を表示させるとともに該用紙上に折り候補線を表示させる表示制御部と、
前記ポインティングデバイスの操作を受けて前記折り候補線の中から順次一本ずつ折り線を指定する折り線指定部とを有し、
前記表示制御部が、前記折り線指定部が一本の折り線を指定するたびに、前記表示部の表示を次の折り候補線を表わした用紙の表示に置換させるものであって、さらに
前記折り線指定部で折り線の指定が繰り返されることにより決定される折り丁に基づいて、前記各区画両面に各ページを割り付けるページ割付部を有することを特徴とするページ割付装置。
【請求項８】
前記表示制御部は、前記表示部に、前記ポインティングデバイスの操作による一枚の用紙上に並ぶ縦横の各区画数の指定を受ける区画数指定域を有する画像を表示させ、縦横の区画数の指定を受けて該指定に合致した区画が配列された用紙を表示させるものであることを特徴とする請求項７記載のページ割付装置。
【請求項９】
前記表示制御部は、前記表示部に、前記ポインティングデバイスの操作による天合わせ、地合わせの別の指定を受ける合わせ指定域を有する画像を表示させ、
前記ページ割付部はさらに、指定を受けた天合わせ又は地合わせにも基づいて、前記各区画両面に各ページを割り付けるものであることを特徴とする請求項７または８記載のページ割付装置。
【請求項１０】
前記表示制御部は、前記表示部に、前記ポインティングデバイスの操作による左綴じ、右綴じの別の指定を受ける綴じ指定域を有する画像を表示させ、
前記ページ割付部はさらに、指定を受けた左綴じ又は右綴じにも基づいて、前記各区画両面に各ページを割り付けるものであることを特徴とする請求項７から９のうちいずれか１項記載のページ割付装置。
【請求項１１】
前記表示制御部は、前記表示部に、前記ポインティングデバイスの操作による面付け形式の指定を受ける面付け形式指定域を有する画像を表示させ、
前記ページ割付部はさらに、指定を受けた面付け形式にも基づいて、前記各区画両面に各ページを割り付けるものであることを特徴とする請求項７から１０のうちいずれか１項記載のページ割付装置。
【請求項１２】
前記表示制御部は、前記表示部に、前記ポインティングデバイスの操作による山折り、谷折りの別の指定を受ける折り指定域を有する画像を表示させ、
前記折り線指定部は、一本の折り線の指定を受けるたびに、該一本の折り線に、指定を受けた山折り又は谷折りを対応づけるものであることを特徴とする請求項７から１１のうちいずれか１項記載のページ割付装置。
【請求項１３】
画像を表示する表示部と前記表示部に表示された画像上の任意のポイントを指定するポインティングデバイスとを備えプログラムを実行する演算装置内で実行され、該演算装置を、
前記表示部に、複数に区画された用紙を表示させるとともに該用紙上に折り候補線を表示させる表示制御部と、
前記ポインティングデバイスの操作を受けて前記折り候補線の中から順次一本ずつ折り線を指定する折り線指定部とを有し、
前記表示制御部が、前記折り線指定部が一本の折り線を指定するたびに、前記表示部の表示を次の折り候補線を表わした用紙の表示に置換させるものであって、さらに
前記折り線指定部で折り線の指定が繰り返されることにより決定される折り丁に基づいて、前記各区画両面に各ページを割り付けるページ割付部を有するページ割付装置として動作させることを特徴とするページ割付プログラム。
【請求項１４】
前記表示制御部は、前記表示部に、前記ポインティングデバイスの操作による一枚の用紙上に並ぶ縦横の各区画数の指定を受ける区画数指定域を有する画像を表示させ、縦横の区画数の指定を受けて該指定に合致した区画が配列された用紙を表示させるものであることを特徴とする請求項１３記載のページ割付プログラム。
【請求項１５】
前記表示制御部は、前記表示部に、前記ポインティングデバイスの操作による天合わせ、地合わせの別の指定を受ける合わせ指定域を有する画像を表示させ、
前記ページ割付部は、さらに前記合わせ指定域に指定を受けた天合わせ又は地合わせにも基づいて、前記各区画両面に各ページを割り付けるものであることを特徴とする請求項１３または１４記載のページ割付プログラム。
【請求項１６】
前記表示制御部は、前記表示部に、前記ポインティングデバイスの操作による左綴じ、右綴じの別の指定を受ける綴じ指定域を有する画像を表示させ、
前記ページ割付部は、さらに前記綴じ指定域に指定を受けた左綴じ又は右綴じにも基づいて、前記各区画両面に各ページを割り付けるものであることを特徴とする請求項１３から１５のうちいずれか１項記載のページ割付プログラム。
【請求項１７】
前記表示制御部は、前記表示部に、前記ポインティングデバイスの操作による面付け形式の指定を受ける面付け形式指定域を有する画像を表示させ、
前記ページ割付部はさらに、指定を受けた面付け形式にも基づいて、前記各区画両面に各ページを割り付けるものであることを特徴とする請求項１３から１６のうちいずれか１項記載のページ割付プログラム。
【請求項１８】
前記表示制御部は、前記表示部に、前記ポインティングデバイスの操作による山折り、谷折りの別の指定を受ける折り指定域を有する画像を表示させ、
前記折り線指定部は、一本の折り線の指定を受けるたびに、該一本の折り線に、指定を受けた山折り又は谷折りを対応づけるものであることを特徴とする請求項１３から１７のうちいずれか１項記載のページ割付プログラム。
【発明の詳細な説明】
【技術分野】
【０００１】
本発明は、一枚の用紙が複数に区画されてなる各区画両面に各ページ番号を割り付けるページ割付方法およびページ割付装置、並びに演算装置をページ割付装置として動作させるページ割付プログラムに関する。
【背景技術】
【０００２】
製本のための印刷工程では、大サイズの印刷用紙上に本の各ページとなるべき各画像が複数ページにわたって印刷される。印刷の後、その印刷用紙が折り畳まれて折り丁が形成され裁断されて綴じられることにより本として完成する。
【０００３】
ここで、上記の印刷工程よりも前段では、各ページごとの画像を印刷用紙に割り付けるためのいわゆる面付け作業が必要となる。
【０００４】
この面付け作業を効率的に行なうために、表示画面上にページごとの区画に分けた印刷用紙を表示しオペレータの操作によりその表示上の印刷用紙の各区画にページを割り付ける（面付けを行なう）方法が提案されている（特許文献１）。この提案では、オペレータがある１つの区画にある１ページ（例えば第１ページ）を割り付けるとその区画の裏面にはページ（例えば第２ページ）が自動的に割り付けられ、さらに次のページを割り付けることのできる複数の区画が表示される。そこでオペレータは、その表示された複数の区画のうちの１つの区画に次のページを割り付ける、という手順でページ割付け（面付け）が進められる。
【０００５】
このようにして全ての区画にページが割り付けられると、各ページごとに編集された画像がその割り付けられた区画に配置されて印刷用の画像として編集され、印刷工程ではその印刷用に編集された画像が印刷用紙上に印刷される。
【先行技術文献】
【特許文献】
【０００６】
【特許文献１】特開平１０−３１９５６７号公報
【発明の概要】
【発明が解決しようとする課題】
【０００７】
印刷用紙上に印刷した後その印刷用紙が折り機で折り畳まれて折り丁が作製されるが、印刷用紙の折り方には複数種類あり、それら複数種類の折り方のうちのどの折り方を採用するかは通常は面付けよりも前に折り機によって決められている。
【０００８】
このため、上記の特許文献１の提案を採用してページ割付け(面付け）を行なうには、次のページを割り付けることのできる複数の区画が表示されても、それを信頼して次のページをそれらの複数の区画の任意の１つに割り付けることはできず、採用される折り方の種類を先に知った上でその折り方に合った区画にしかページを割り付けることができない。すなわち、オペレータが自分で紙を折ってみるなりしてページ割付けを行ない、その後その割り付けたページを表示された印刷用紙の区画に入力する必要を生じる。
【０００９】
このように、従来の提案では、次のページを割り付けることのできる区画が表示されてもページ割付けについてのオペレータの負荷の軽減には役立たない。
【００１０】
本発明は、上記事情に鑑み、ページを容易に割り付けることのできるページ割付方法およびページ割付装置、並びに演算装置をそのようなページ割付装置として動作させるページ割付プログラムを提供することを目的とする。
【課題を解決するための手段】
【００１１】
上記目的を達成する本発明のページ割付方法は、一枚の用紙が複数に区画されてなる各区画両面に各ページ番号を割り付けるページ割付方法であって、
複数に区画された用紙を表示するとともにその用紙上に折り候補線を表示する表示ステップと、
折り候補線の中から折り線を順次一本ずつ指定する折り線指定ステップとを有し、
上記表示ステップが、折り線指定ステップで折り線が一本指定されるたびに次の折り候補線を表わした用紙を表示するステップであって、さらに、
折り線指定ステップで折り線の指定を繰り返すことにより決定される折り丁に基づいて、各区画両面に各ページを割り付けるページ割付ステップを有することを特徴とする。
【００１２】
本発明のページ割付方法は、上記の表示ステップと折り線指定ステップを交互に繰り返し、この繰返しによって決定される折り丁に基づいてページを割り付けるため、折り方が決定されればページの割り付けは自ずと決定される。従ってページが容易に割り付けられる。
【００１３】
ここで、本発明のページ割付方法において、一枚の用紙上に並ぶ縦横の各区画数を指定する区画数指定ステップを有し、上記用紙表示ステップは、区画数指定ステップで指定された縦横の各区画数に合致した数の区画が配列された用紙を表示するステップであることが好ましい。
【００１４】
区画数指定ステップを有すると、様々なサイズの印刷用紙や様々な縦横寸法の本についてのページ割付けを行なうことができる。
【００１５】
また、本発明のページ割付方法において、天合わせ、地合わせの別を指定する合わせ指定ステップを有し、上記ページ割付ステップは、さらに合わせ指定ステップでの天合わせ又は地合わせの指定にも基づいて、各区画両面に各ページを割り付けるステップであることが好ましく、また、左綴じ、右綴じの別を指定する綴じ指定ステップを有し、上記ページ割付ステップは、さらに綴じ指定ステップでの左綴じ又は右綴じの指定にも基づいて各区画両面に各ページを割り付けるステップであることが好ましい。さらに、本発明のページ割付方法において、面付け形式を指定する面付け形式指定ステップを有し、上記ページ割付ステップは、さらに面付け形式指定ステップで指定された面付け形式にも基づいて各区画両面に各ページを割り付けるステップであることが好ましい。
【００１６】
上記の合わせ指定ステップを有することにより天合わせと地合わせのいずれについてもページ割付けを行なうことができ、上記の綴じ指定ステップを有することにより左綴じ、右綴じのいずれについてもページ割付けを行なうことができ、上記の面付け形式指定ステップを有することにより様々な面付け形式に応じたページ割付けを行なうことができる。
【００１７】
また、本発明のページ割付方法において、上記折り線指定ステップが折り線を一本指定するごとに、その一本の折り線の山折り、谷折りの別を指定するステップであることが好ましい。
【００１８】
折り線一本ごとに山折り、谷折りを指定することにより、山折り／谷折りが混在する場合にも柔軟に対応することができる。
【００１９】
また、上記目的を達成する本発明のページ割付装置は、
画像を表示する表示部と、
表示部に表示された画像上の任意のポイントを指定するポインティングデバイスと、
表示部に、複数に区画された用紙を表示させるとともにその用紙上に折り候補線を表示させる表示制御部と、
ポインティングデバイスの操作を受けて折り候補線の中から順次一本ずつ折り線を指定する折り線指定部とを有し、
表示制御部が、折り線指定部が一本の折り線を指定するたびに、表示部の表示を次の折り候補線を表わした用紙の表示に置換させるものであって、さらに
折り線指定部で折り線の指定が繰り返されることにより決定される折り丁に基づいて、各区画両面に各ページを割り付けるページ割付部を有することを特徴とする。
【００２０】
ここで、本発明のページ割付装置において、上記表示制御部は、上記表示部に、ポインティングデバイスの操作による一枚の用紙上に並ぶ縦横の各区画数の指定を受ける区画数指定域を有する画像を表示させ、縦横の区画数の指定を受けてその指定に合致した区画が配列された用紙を表示させるものであることが好ましい。
【００２１】
また、本発明のページ割付装置において、上記表示制御部は、上記表示部に、ポインティングデバイスの操作による天合わせ、地合わせの別の指定を受ける合わせ指定域を有する画像を表示させ、ページ割付部は、指定を受けた天合わせ又は地合わせにも基づいて、各区画両面に各ページを割り付けるものであることが好ましく、また、上記表示制御部は、上記表示部に、ポインティングデバイスの操作による左綴じ、右綴じの別の指定を受ける綴じ指定域を有する画像を表示させ、ページ割付部は、指定を受けた左綴じ又は右綴じにも基づいて、各区画両面に各ページを割り付けるものであることが好ましい。さらに、上記表示制御部は、上記表示部に、ポインティングデバイスの操作による面付け形式の指定を受ける面付け形式指定域を有する画像を表示させ、ページ割付部は、指定を受けた面付け形式にも基づいて、各区画両面に各ページを割り付けるものであることが好ましい。
【００２２】
さらに、本発明のページ割付装置において、上記表示制御部は、上記表示部に、ポインティングデバイスの操作による山折り、谷折りの別の指定を受ける折り指定域を有する画像を表示させ、折り線指定部は、一本の折り線の指定を受けるたびに、その一本の折り線に、指定を受けた山折り又は谷折りを対応づけるものであることが好ましい。
【００２３】
また、本発明のページ割付プログラムは、画像を表示する表示部とその表示部に表示された画像上の任意のポイントを指定するポインティングデバイスとを備えプログラムを実行する演算装置内で実行され、その演算装置を、
上記表示部に、複数に区画された用紙を表示させるとともに該用紙上に折り候補線を表示させる表示制御部と、
ポインティングデバイスの操作を受けて折り候補線の中から順次一本ずつ折り線を指定する折り線指定部とを有し、
上記表示制御部が、折り線指定部が一本の折り線を指定するたびに、表示部の表示を次の折り候補線を表わした用紙の表示に置換させるものであって、さらに
折り線指定部で折り線の指定が繰り返されることにより決定される折り丁に基づいて、各区画両面に各ページを割り付けるページ割付部を有するページ割付装置として動作させることを特徴とする。
【００２４】
ここで、本発明のページ割付プログラムにおいても、上記表示制御部は、上記表示部に、ポインティングデバイスの操作による一枚の用紙上に並ぶ縦横の各区画数の指定を受ける区画数指定域を有する画像を表示させ、縦横の区画数の指定を受けてその指定に合致した区画が配列された用紙を表示させるものであることが好ましい。
【００２５】
また、本発明のページ割付プログラムにおいて、上記表示制御部は、上記表示部に、ポインティングデバイスの操作による天合わせ、地合わせの別の指定を受ける合わせ指定域を有する画像を表示させ、ページ割付部は、指定を受けた天合わせ又は地合わせにも基づいて、各区画両面に各ページを割り付けるものであることが好ましく、また、上記表示制御部は、上記表示部に、ポインティングデバイスの操作による左綴じ、右綴じの別の指定を受ける綴じ指定域を有する画像を表示させ、ページ割付部は、指定を受けた左綴じ又は右綴じにも基づいて、各区画両面に各ページを割り付けるものであることが好ましい。さらに、上記表示制御部は、上記表示部に、ポインティングデバイスの操作による面付け形式の指定を受ける面付け形式指定域を有する画像を表示させ、ページ割付部は、指定を受けた面付け形式にも基づいて、各区画両面に各ページを割り付けるものであることが好ましい。
【００２６】
さらに、本発明のページ割付プログラムにおいて、上記表示制御部は、上記表示部に、ポインティングデバイスの操作による山折り、谷折りの別の指定を受ける折り指定域を有する画像を表示させ、折り線指定部は、一本の折り線の指定を受けるたびに、その一本の折り線に、指定を受けた山折り又は谷折りを対応づけるものであることが好ましい。
【発明の効果】
【００２７】
以上の本発明によれば、ページを容易に割り付けることができる。
【図面の簡単な説明】
【００２８】
【図１】本発明の一実施形態が適用されるコンピュータを示す図である。
【図２】図１に示すコンピュータのハードウェア構成図である。
【図３】本発明の一実施形態としてのページ割付方法の概要を示したフローチャートである。
【図４】本発明の一実施形態としてのページ割付プログラムの構成を示した図である。
【図５】本発明の一実施形態としてのページ割付装置の機能ブロック図である。
【図６】面付けパターン編集画面を示す図である。
【図７】面付けパターン編集画面上での折り線の指示方法を示す図である。
【図８】面付けパターン編集画面上での折り線の指示方法を示す図である。
【図９】エラー画面の一例を示す図である。
【図１０】問合せ画面の一例を示す図である。
【図１１】この実施形態での処理手順を示したフローチャートである。
【図１２】この実施形態で表示される用紙を示した図である。
【図１３】この実施形態で表示される用紙を示した図である。
【図１４】この実施形態で表示される用紙を示した図である。
【図１５】この実施形態で表示される用紙を示した図である。
【図１６】面付けパターン編集処理のフローチャートである。
【図１７】表示される用紙（表面のみ）を示した図である。
【図１８】最初の折り線を指定した後の、用紙を示す図である。
【図１９】２番目の折り線を指定した後の用紙を示す図である。
【図２０】図１６のステップＳ３０で表示された用紙（表面のみ）を示す図である。
【発明を実施するための形態】
【００２９】
以下、本発明の実施形態について説明する。
【００３０】
図１は、本発明の一実施形態が適用されるコンピュータを示す図である。
【００３１】
図１に示すコンピュータ１００は、外観上、本体部１１０、本体部１１０からの指示により表示画面１２１に画像表示を行う画像表示装置１２０、このコンピュータ１００にキー操作に応じた情報を入力するキーボード１３０、および表示画面１２１上の任意の位置を指定することによりその位置に応じた指示を入力するマウス１４０を備えている。
【００３２】
この本体部１１０は、外観上、フレキシブルディスク（以下、ＦＤと呼ぶ）やＣＤやＤＶＤ（以下、「ＣＤ／ＤＶＤ」と表記する）を装填するためのＦＤ装填口１１１およびＣＤ／ＤＶＤ装填口１１２を有している。
【００３３】
図２は、図１に示すコンピュータのハードウェア構成図である。
【００３４】
図１に示す本体装置１１０には、ＣＰＵ１１３、主メモリ１１４、ハードディスク装置１１５、ＦＤドライブ１１６、ＣＤ／ＤＶＤドライブ１１７、入力インターフェース１１８、および出力インターフェース１１９が内蔵されている。ＣＰＵ１１３は、各種プログラムを実行する。主メモリ１１４には、ハードディスク装置１１５に格納されたプログラムが読み出されＣＰＵ１１３での実行のためにプログラムが展開される。ハードディスク装置１１５には、各種プログラムやデータ等が保存される。ＦＤドライブ１１６は、ＦＤ１５０が装填されその装填されたＦＤ１５０をアクセスする。ＣＤ／ＤＶＤドライブ１１７は、ＣＤ／ＤＶＤ１６０が装填されその装填されたＣＤ／ＤＶＤ１６０をアクセスする。入力インターフェース１１８は、外部装置（ここでは画像データを１ページ単位の画像データに編集する編集装置）からのデータ入力を行い、出力インターフェース１１９は、外部装置（ここでは画像データをラスタライズするＲＩＰ装置など）へのデータ出力を行う。本体装置１１０に内蔵されているこれらのハードウェアと、キーボード１３０と、マウス１４０と、画像表示装置１２０は、バス１５０を介して互いに接続されている。
【００３５】
ＣＤ／ＤＶＤ１６０には、このコンピュータ１００をページ割付装置の一実施形態として動作させる、後述するページ割付プログラムが記憶されている。そのＣＤ／ＤＶＤ１６０はＣＤ／ＤＶＤドライブ１１７に装填され、そのＣＤ／ＤＶＤ１６０に記憶されたページ割付プログラムがこのコンピュータ１００にアップロードされてハードディスク装置１１５に記憶される。そして、このページ割付プログラムが起動されて実行されることにより、コンピュータ１００は、本発明にいうページ割付装置の一実施形態として動作する。
【００３６】
図３は、図１，図２に示すコンピュータにより実施される、本発明の一実施形態としてのページ割付方法の概要を示したフローチャートである。
【００３７】
ここに示すページ割付方法は、一枚の用紙が複数に区画されてなる各区画両面に各ページ番号を割り付けるページ割付方法であって、区画数指定ステップ（Ｓ０１）、天合わせ／地合わせ指定ステップ（Ｓ０２）、左綴じ／右綴じ指定ステップ（Ｓ０３）、面付け形式指定ステップ（Ｓ０４）、用紙／折り候補線表示ステップ（Ｓ０５）、折り線指定ステップ（Ｓ０６）、判定ステップ（Ｓ０７）、およびページ割り付けステップ（Ｓ０８）を有する。
【００３８】
区画数指定ステップ（Ｓ０１）は、一枚の用紙上に並ぶ縦横の各区画数を指定するステップ、天合わせ／地合わせ指定ステップ（Ｓ０２）は天合わせ、地合わせの別を指定するステップ、左綴じ／右綴じ指定ステップ（Ｓ０３）は、左綴じ、右綴じの別を指定するステップ、面付け形式指定ステップ（Ｓ０４）は、面付け形式を指定するステップである。面付け形式には、代表的なものとして、本掛け（水平返し）、本掛け（垂直返し）、打返し、どんてん返しなどがある。
【００３９】
また、用紙／折り候補線表示ステップ（Ｓ０５）は、複数に区画された用紙を表示するとともにその用紙上に折り候補線を表示するステップである。この用紙／折り候補線表示ステップ（Ｓ０５）では、区画数指定ステップ（Ｓ０１）で指定された縦横の区画数に合致した区画が配列された用紙が表示される。
【００４０】
また、折り線指定ステップ（Ｓ０６）は、折り候補線の中から折り線を順次一本ずつ指定するステップである。この折り線指定ステップ（Ｓ０６）は、折り線を一本指定するたびに、その一本の折り線の山折り、谷折りの別も指定するステップである。
【００４１】
また、判定ステップ（Ｓ０７）は、折り線候補が無くなるまで折り線の指定が行なわれたか否かを判定するステップである。
【００４２】
次の折り線候補があるときは、用紙／折り候補線表示ステップ（Ｓ０５）に戻り、その用紙／折り候補線表示ステップ（Ｓ０５）では、折り線指定ステップ（Ｓ０６）で折り線が一本指定されるたびに次の折り候補線を表わした用紙が表示される。折り線候補が無くなるまで折り線が指定されると、次にページ割り付けステップ（Ｓ０８）に進む。このページ割り付けステップ（Ｓ０８）は、折り線指定ステップ（Ｓ０６）で折り線の指定を繰り返すことにより決定される折り丁に基づいて、各区画両面に各ページを割り付けるステップである。さらに、このページ割り付けステップ（Ｓ０８）では、天合わせ／地合わせ指定ステップ（Ｓ０２）での天合わせ又は地合わせの指定にも基づいて、また、左綴じ／右綴じ指定ステップ（Ｓ０３）での左綴じ又は右綴じの指定にも基づいて、さらに、面付け形式指定ステップ（Ｓ０４）での面付け形式の指定にも基づいて、各区画両面に各ページが割り付けられる。
【００４３】
図４は、本発明の一実施形態としてのページ割付プログラムの構成を示した図である。
【００４４】
この図４に示すページ割付プログラム２００は、画像を表示する表示部と、その表示部上の任意のポイントを指定するポインティングデバイスとを備えプログラムを実行する演算装置、例えば、図１，図２に示すコンピュータ１００内で実行されるプログラムであり、表示制御部２１０、折り線指定部２２０、ページ割付部２３０の各プログラム部品で構成されている。これらの各プログラム部品の作用については後述する。
【００４５】
図５は、本発明の一実施形態としてのページ割付装置の機能ブロック図である。
【００４６】
このページ割付装置３００は、画像表示装置１２０、マウス１４０、表示制御部３１０、折り線指定部３２０、およびページ割付部３３０を有する。これらの要素のうち、画像表示装置１２０およびマウス１４０は、図２，図３にも示すハードウェア上の構成要素である。また、表示制御部３１０、折り線指定部３２０およびページ割付部３３０は、図４に示すページ割付プログラム２００が図２，図３に示すコンピュータ１００にインストールされて実行されることにより実現する機能である。これらの表示制御部３１０、折り線指定部３２０およびページ割付部３３０は、図４に示すページ割付プログラム２００の各プログラム部品の名称とそれぞれ同一の名称で示されているが、図５に示すページ割付装置３００の表示制御部３１０、折り線指定部３２０およびページ割付部３３０は、図４に示すページ割付プログラム２００を構成する同一名称のプログラム部品がコンピュータ１００（図１，図２参照）内で実行されたときにコンピュータ１００内に実現する機能である。したがって同一名称を用いているものの、図５の表示制御部３１０、折り線指定部３２０、およびページ割付部３３０はプログラム部品（ソフトウェア）とコンピュータ１００のハードウェアとの複合で構成されているのに対し、図４の各プログラム部品は、それらソフトウェアとハードウェアのうちのソフトウェアのみを指している。
【００４７】
図４に示すページ割付プログラム２００を構成する各プログラム部品がコンピュータ１００内で実行されたときの作用は、図５に示すページ割付装置３００の同一名称の各部の作用そのものであり、以下では、図５のページ割付装置３００の各部の作用を説明することで、図４の画像データ生成プログラム２００の各プログラム部品の作用の説明を兼ねるものとする。
【００４８】
図５に示すページ割付装置３００を構成する画像表示装置１２０は、表示画面１２１（図１参照）上に画像を表示する装置である。また、マウス１４０は、表示画面に表示された画像上の任意の位置を指定することによりその位置に応じた指示を入力するポインティングデバイスの一種である。
【００４９】
また表示制御部３１０は、表示画面１２１(図１参照)上に、複数に区画された用紙を表示させるとともにその用紙上に折り候補線を表示させる。
【００５０】
さらに折り線指定部３２０は、マウス１４０の操作を受けて折り候補線の中から順次一本ずつ折り線を指定する。
【００５１】
ここで、表示制御部３１０は、折り線指定部３２０が一本の折り線を指定するたびに、表示画面１２１上の表示を次の折り候補線を表わした用紙の表示に置換させる。
【００５２】
また、表示制御部３１０は、表示画面１２１上に、マウス１４０の操作による一枚の用紙上に並ぶ縦横の各区画数の指定を受ける区画数指定域を有する画像を表示させ、縦横の区画数の指定を受けてその指定に合致した区画が配列された用紙を表示させる。
【００５３】
また、表示制御部３１０は、表示画面１２１上に、マウス１４０の操作による山折り、谷折りの別の指定を受ける折り指定域を有する画像を表示させ、折り線指定部３２０は、一本の折り線の指定を受けるたびに、その一本の折り線に、指定を受けた山折り又は谷折りを対応づける。
【００５４】
さらに、表示制御部３１０は、表示画面１２１上に、マウス１４０の操作による天合わせ、地合わせの別の指定を受ける合わせ指定域を有する画像を表示させ、また、マウスの操作による左綴じ、右綴じの別の指定を受ける綴じ指定域を有する画像を表示させる。表示制御部３１０はさらに、表示画面１２１上に、マウスの操作による面付け形式の指定を受ける面付け形式指定域を有する画像を表示させる。
【００５５】
ページ割付部３３０は、折り線指定部３２０で折り線の指定が繰り返されることにより決定される折り丁に基づいて、各区画両面に各ページを割り付ける。ここで、このページ割付部３３０は、指定を受けた天合わせ又は地合わせにも基づいて、さらに、指定を受けた左綴じ又は右綴じにも基づいて、さらに、指定を受けた面付け形式にも基づいて、各区画両面に各ページを割り付ける。
【００５６】
次に、実施形態をさらに具体的に説明する。
【００５７】
図６は、図１に示す表示画面１２１上に表示される面付けパターン編集画面４００を示す図である。
【００５８】
この面付けパターン編集画面４００は、水平ページ数設定欄４１１と垂直ページ数設定欄４１２を有する。これら水平ページ数設定欄４１１と垂直ページ数設定欄４１２を合わせた領域が本発明にいう区画数指定域の一例に相当する。
【００５９】
この図６に示す例では、オペレータの操作により、水平ページ数設定欄４１１では「４」が指定され、垂直ページ数設定欄４１２では「２」が指定されている。これら水平ページ数、垂直ページ数の意味については後述する。
【００６０】
また、この面付けパターン編集画面４００は、綴じ方指定欄４２１と方向指定欄４３１を有する。綴じ方指定欄４２１は、本発明にいう綴じ指定域の一例に相当するものであり、オペレータの操作により左綴じか右綴じかが指定される。また、方向指定欄４３１は、本発明にいう合わせ指定域の一例に相当するものであり、オペレータの操作により天合わせか地合わせかが指定される。
【００６１】
また、この面付けパターン編集画面４００は、ページ設定領域４４０を有する。このページ設定領域４４０には、名称入力欄４４１と、コメント入力欄４４２と、用紙を表示する用紙表示欄４４３と、面付け形式指定欄４４４と、折り線入力欄４４５とを有する。名称入力欄４４１には、オペレータの操作により、今回編集する面付けパターンに付ける名称が入力される。またコメント入力欄４４２には、オペレータの操作により今回の面付けパターンに関する任意のコメントが入力される。用紙表示欄４４３には、水平ページ数設定欄４１１と垂直ページ数設定欄４１２で設定された数の区画に分けられた用紙４６０の、表面４６０ａと裏面４６０ｂが表示される。用紙４６０の表面４６０ａの左下のマークと裏面４６０ｂの右下のマークは、それらが互いに対応する隅であることを示している。さらに面付け形式指定欄４４４には、オペレータの操作により面付け形式が指定される。本実施形態では、この面付け形式は、本掛け（水平返し）／本掛け（垂直返し）／打返し／どんてん返しの４種類の中の１つが選択される。さらに折り線入力欄４４５には、オペレータの操作により、今回指定する折り線で山折りするか谷折りするかが指定される。この折り線入力欄４４５の「取消」は指定済の折り線の指定を取り消すことを指示するためのものである。詳細は後述する。
【００６２】
さらに、この面付けパターン編集画面４００は、キャンセルボタン４５１とＯＫボタン４５２を有する。キャンセルボタン４５１は、この面付けパターン編集画面４００を開いて行なった操作を破棄してこの面付けパターン編集画面４００を閉じることを指示するボタンであり、ＯＫボタン４５２は、この面付けパターン編集画面４００上で行なった編集を記憶した上でこの面付けパターン編集画面４００を閉じることを指示するボタンである。
【００６３】
図７，図８は、図６に示す面付けパターン編集画面上での折り線の指示方法を示す図である。
【００６４】
図６にも示したように、面付けパターン編集画面上に表示された用紙４６０の表面４６０ａには、複数の区画を区切るように折り線となり得る複数の折り候補線４７１が示されている。オペレータによりそのうちの一本の折り候補線４７１ａにマウスカーソルを当ててマウスクリックによりその折り候補線４７１ａを折り線として指定すると、図８に示すように、その指定された折り候補線４７１ａの表示が折り線４８１の表示に変わる。またこのとき同時に次の折り候補線４７２が表示される。折り線４８１で用紙４６０を折ったとすると、次に折ることができるのはその折り線４８１の右側の領域のみであり、したがってこの場合、折り線４８１の右側の領域に含まれる２本の折り候補線４６２が表示される。尚、折り線４８１で折ったとき、次の折り候補線をその折り線４８１よりも左側の領域に表示することも可能であるが、ここでは、折り線４８１で分けられた２つの領域の広さが同じ広さのときは右側又は上側の領域に次の折り候補線を表示するようルールづけられている。折り線４８１で分けられた２つの領域の広さが異なるときは、折り線で折ったときの広い側の領域に次の折り候補線が表示される。また、折り線４８１に付された「１」の数字は、この折り線４８１が最初に折られる折り線であることを表わしている。
【００６５】
図９は、エラー画面の一例を示す図である。
【００６６】
この図９に示すエラー画面４９１は、図６に示す面付けパターン編集画面４００上で面付けパターンの編集を行なっていてその編集が完了しないうちにＯＫボタン４５２を押したときにポップアップする画面である。このエラー画面４９１上のＯＫボタン４９１ａを押すとこのエラー画面４９１が消え、編集作業を続行することができる。
【００６７】
図１０は、問合せ画面の一例を示す図である。
【００６８】
この図１０に示す問合せ画面４９２は、図６に示す面付けパターン編集画面４００内の折り線入力欄４４５で「取消」を指定し、さらに指定済の折り線のうちの一本をマウスクリックしたときに表示される画面である。ここでは、「１」の数字が付された、最初に指定された折り線がマウスクリックされたものとする。このポップアップした問合せ画面４９２上のＯＫボタン４９２ａを押すと、マウスクリックにより指定した折り線（ここでは１番目の折り線）以降の折り線の指定がキャンセルされ、面付けパターン編集画面が、キャンセルされた折り線のうちの番号が一番若い折り線（ここでは１番目の折り線）の指定前の画面に戻る。
【００６９】
また図１０に示す問合せ画面４９２上でキャンセルボタン４９２ｂを押すと、今回の折り線のキャンセルの指示がキャンセルされ、折り線をマウスクリックする前の画面に戻る。
【００７０】
図１１は、この実施形態での処理手順を示したフローチャートである。
【００７１】
また図１２〜図１５は、この実施形態で表示される用紙を示した図である。
【００７２】
ここには用紙の表面と裏面の双方が示されている。ここでは、先ず升目数が指定される（Ｓ１１）。すなわち、ここでは、図６に示す面付けパターン編集画面４００の水平ページ数設定欄４１１および垂直ページ数設定欄４１２で水平ページ数および垂直ページ数が設定される。ここでは、それぞれ「４」および「２」が設定されたものとする。すると図１２に示すように用紙４６０が表示される。ここでは、升目数の指定に従って用紙の表裏面それぞれについて横４区画×縦２区画に分けられた用紙４６０が表示される。
【００７３】
次にその用紙４６０の表面４６０ａに折り候補線４７１が表示される（Ｓ１３）。図１３に示すように第１折り線４８１の入力を受けると（Ｓ１４）、次の折り候補線４７２が表示される（Ｓ１５）。
【００７４】
さらに図１４に示すように第２折り線４８２の入力を受けると（Ｓ１６）、次の折り候補線４７３が表示される（Ｓ１７）。さらに図１５に示すように、第２折り線４８３の入力を受けると（Ｓ１８）、全ての折り線が決まったため全ページ番号、各ページの天地方向が表示される。ここで、折り線からページ番号を決定するにあたっては、図６に示す面付けパターン編集画面４００内の綴じ方指定欄４２１で指定された左綴じ又は右綴じ、方向指定欄４３１で指定された天合わせ又は地合わせ、および面付け形式指定欄４４４で指定された面付け形式の情報も考慮される。
【００７５】
次に、本発明のもう１つの具体的な実施形態について説明する。図１０までは、上述の実施形態と同じであり、重複説明は省略し、上述の実施形態の図１１〜図１５に代わる部分についてのみ説明する。
【００７６】
図１６は、面付けパターン編集処理のフローチャートである。
【００７７】
ここでは、先ず、水平・垂直の各ページ数が取得される（Ｓ２１）。具体的には、図６に示す面付けパターン設定画面４００上の水平ページ数設定欄４１１と垂直ページ数設定欄４１２にオペレータにより設定された数値を読み取ることにより、水平・垂直の各ページ数が取得される。ここでは、図６に示す数値「４」，「２」とは異なり、水平ページ数「５」かつ垂直ページ数「４」がオペレータにより設定されたものとする。
【００７８】
次に用紙の両面が表示される（Ｓ２２）。ここでは、図６に示すページ設定領域４４０に用紙の表面および裏面が表示される。ここでは、表裏面それぞれについて図６に示す例とは異なり、横５区画、縦４区画、合計５×４＝２０区画に分けられた用紙が表示される。
【００７９】
次に、用紙の全領域を有効領域とする（Ｓ２３）。ここで、「有効領域」は、折り候補線を表示しその表示した折り候補線の中から折り線の指定を受け付ける領域をいい、ここでは折り線はまだ一本も指定されていないから用紙の全域が有効領域となる。
【００８０】
次にその有効領域内の、区画と区画とを区切る区切り線の全てを折り候補線とする（Ｓ２４）。次いで有効領域内に折り候補線が存在するか否かが判定され（Ｓ２５）、折り候補線が存在するときは表示された用紙上に折り候補線が表示される（Ｓ２６）。
【００８１】
図１７は、この段階で表示される用紙４６０を示した図である。ここには、用紙の表裏面のうちの表面のみが示されている。
【００８２】
この図１７に示すように、水平方向に５つの区画が並ぶと共に、垂直方向に４つの区画が並び、かつそれらの全ての区画を区切る区切り線の全てが、折り線として指定し得る折り候補線４７１として表示されている。
【００８３】
尚、この図１７および後述する図１８〜図２０に記入してある、例えば（０．０，０．０）等の表示は、用紙上の相対的な（ｘ，ｙ）の座標を示しており、破線で囲った領域（ここでは用紙４６０の全域）は有効領域を表わしている。
【００８４】
図１６に戻って説明を続ける。
【００８５】
図１６のステップＳ２７では、図１７のように表示された用紙上の折り候補線４７１の中から１本の折り線の指定を受ける。この指定方法は、図７，図８を参照しながら説明した通りである。
【００８６】
折り線の指定を受けると、その指定された折り線により２つに分断された有効領域の中の広い方の領域を新たな有効領域とする（Ｓ２８）。ここで、前述した通り、分断された２つの領域が同じ広さの場合は右側、上側の領域が有効領域となる。
【００８７】
次に、ステップＳ２４に戻り、上述の処理が繰り返される。
【００８８】
図１８は、最初の折り線を指定した後の、用紙を示す図である。
【００８９】
ここでは、縦に延びる１本の折り線４８１が表示され、その折り線４８１よりも右側の、破線で囲った領域が有効領域となってその有効領域内の区画を区切る区切り線が次の折り候補線４７２として表示されている。
【００９０】
図１９は、２番目の折り線を指定した後の用紙を示す図である。
【００９１】
ここでは、横に延びるもう１本の折り線４８２も表示され、２本の折り線４８１，４８２で区切られる右上側の領域が新たな有効領域となり、その有効領域内に次の折り候補線４７３が表示されている。
【００９２】
図１６に再度戻って説明を続ける。
【００９３】
ステップＳ２４からステップＳ２８を繰り返し、ステップＳ２５において折り候補線が存在しなくなったと判定されるとステップＳ２９に進む。このステップＳ２９では、指定された折り線やその指定の順序（折り順）から全区画のページ番号が算出される（Ｓ２９）。この算出にあたっては、図６に示す面付けパターン編集画面４００上の綴じ方指定欄４２１および方向指定欄４３１で指定された左綴じ／右綴じおよび天合わせ／地合わせの指定、および面付け形式指定欄４４４で指定された面付け形式の指定も考慮される。その後、全ページ番号および天地方向が表示される（Ｓ３０）。
【００９４】
図２０は、図１６のステップＳ３０で表示された用紙（表面のみ）を示す図である。
【００９５】
この図２０は、図１９に示すように２本の折り線４８１，４８２の指定を受けた後、さらに折り線４８３、折り線４８４、折り線４８５が指定されたことを示している。各区画内の数値はページ番号を表わしており、各区画内の三角形の印は、そのページの画像の上方向を表わしている。すなわち、この図２０は、天合わせが指定されたことを示している。ここには用紙の表面のみ示したが、図６の画面上には表面と裏面の双方が表示される。
【００９６】
この図２０に示すように面付けの編集が終了し、図６に示すＯＫボタン４５２がマウスクリックされると、この面付けが記憶されてこの画面が閉じられる。
【００９７】
その後は、編集装置（図示せず）から受け取った、各ページごとの画像データが、上記のようにして編集した面付けに従って用紙１枚の片面を単位とした画像データに編集されてコンピュータ１００（図１，図２参照）から出力される。この出力された画像データはさらにラスタライズされて印刷工程に進むことになる。印刷工程では用紙の片面単位のラスタライズされた画像データに基づいて刷版が作製され、その刷版が印刷機にセットされて印刷が行なわれる。その印刷の後は、上記のように指定した折り線および折り順に従って折り畳まれて折り丁が作製され、切断、製本の工程へと進む。
【００９８】
以上の各実施形態によれば、各区画のページ番号を直接に指定するのではなく、折り線を指定してページを割り付けるため、オペレータは、折りパターン、左綴じ／右綴じ、天合わせ／地合わせ、面付け形式という概括的な情報を入力すればページ自体は自動的に割り付けられることになり、作業が容易となる。
【符号の説明】
【００９９】
１００    コンピュータ
１１０    本体部
１１２    ＣＤ／ＤＶＤ装填口
１１７    ＣＤ／ＤＶＤドライブ
１１８    入力インターフェース
１１９    出力インターフェース
１２０    画像表示装置
１２１    表示画面
１３０    キーボード
１４０    マウス
２００    ページ割付プログラム
２１０，３１０    表示制御部
２２０，３２０    折り線指定部
２３０，３３０    ページ割付部
３００    ページ割付装置
４００    面付けパターン編集画面
４１１    水平ページ数設定欄
４１２    垂直ページ数設定欄
４２１    綴じ方指定欄
４３１    方向指定欄
４４０    ページ設定領域
４４１    名称入力欄
４４２    コメント入力欄
４４３    用紙表示欄
４４４    面付け形式指定欄
４４５    折り線入力欄
４５１，４９２ｂ    キャンセルボタン
４５２，４９１ａ，４９２ａ    ＯＫボタン
４６０    用紙
４６０ａ    表面
４６０ｂ    裏面
４６２，４７１，４７１ａ，４７２，４７３    折り候補線
４８１〜４８４    折り線
４９１    エラー画面
４９２    問合せ画面
【図１】
2011017938.tif 000003
【図２】
2011017938.tif 000004
【図３】
2011017938.tif 000005
【図４】
2011017938.tif 000006
【図５】
2011017938.tif 000007
【図６】
2011017938.tif 000008
【図７】
2011017938.tif 000009
【図８】
2011017938.tif 000010
【図９】
2011017938.tif 000011
【図１０】
2011017938.tif 000012
【図１１】
2011017938.tif 000013
【図１２】
2011017938.tif 000014
【図１３】
2011017938.tif 000015
【図１４】
2011017938.tif 000016
【図１５】
2011017938.tif 000017
【図１６】
2011017938.tif 000018
【図１７】
2011017938.tif 000019
【図１８】
2011017938.tif 000020
【図１９】
2011017938.tif 000021
【図２０】
2011017938.tif 000022